(57)【要約】【課題】冷房運転終了後の結露を防止する制御方法を提供する。【解決手段】制御装置は、空調対象となる空間の空気を吸入して、空気の温度を制御する空気調和機と、空間に接する面に配置された放射パネルモジュールと、空気調和機によって温度制御された空気を放射パネルモジュールへ送出するファンと、放射パネルモジュールを通過した空気を空間へ吹き出す吹出口と、を含む空調システムにおいて、冷房運転の終了後にもファンの運転を行う。【選択図】図１
2020003141.tif 000002
【特許請求の範囲】
【請求項１】
空調対象となる空間の空気を吸入して前記空気の温度を制御する空気調和機と、前記空間に接する面に配置された放射パネルモジュールと、前記空気調和機によって温度制御された前記空気を前記放射パネルモジュールへ送出するファンと、前記放射パネルモジュールを通過した前記空気を前記空間へ吹き出す吹出口と、を含む空調システムにおいて、
冷房運転の終了後に前記ファンを運転する、制御装置。
【請求項２】
前記ファンの運転を、前記冷房運転の終了時における前記空間の湿度に応じた時間だけ行う、
請求項１に記載の制御装置。
【請求項３】
前記冷房運転の終了時における前記空間の湿度について、第１湿度が第２湿度より高い場合、前記ファンの運転を、前記第２湿度の場合より、前記第１湿度の場合に長時間実行する、
請求項２に記載の制御装置。
【請求項４】
前記ファンの運転を、前記冷房運転の終了後に所定時間だけ実行する、
請求項１に記載の制御装置。
【請求項５】
前記冷房運転の終了時に、前記空気調和機から送出されてから前記吹出口に至るまでの空間内に残存する前記空気が、前記吹出口から前記空間へ吹き出されるまでの間、前記ファンの運転を実行する、
請求項１に記載の制御装置。
【請求項６】
前記ファンの運転を、前記空間の温度と前記放射パネルモジュールの風路の温度との温度差が所定の範囲内となるまで実行する、
請求項１に記載の制御装置。
【請求項７】
空調対象となる空間の空気を吸入して、前記空気の温度を制御する空気調和機と、
前記空間に接する面に配置された放射パネルモジュールと、
前記空気調和機によって温度制御された前記空気を前記放射パネルモジュールへ送出するファンと、
前記放射パネルモジュールを通過した前記空気を前記空間へ吹き出す吹出口と、
請求項１から請求項６の何れか１項に記載の制御装置と、
を備える空調システム。
【請求項８】
空調対象となる空間の空気を吸入して前記空気の温度を制御する空気調和機と、前記空間に接する面に配置された放射パネルモジュールと、前記空気調和機によって温度制御された前記空気を前記放射パネルモジュールへ送出するファンと、前記放射パネルモジュールを通過した前記空気を前記空間へ吹き出す吹出口と、を含む空調システムにおいて、
冷房運転の終了後に前記ファンを運転する、制御方法。
【発明の詳細な説明】
【技術分野】
【０００１】
本発明は、制御装置、空調システム及び制御方法に関する。
【背景技術】
【０００２】
特許文献１には、空気調和機により温度制御された空調エアを床面に配置されたパネルボードに送り、パネルボードを冷却または加熱して、該パネルボードからの冷気または暖気を室内に放射する床放射冷暖房システムが開示されている。この床放射冷暖房システムでは、パネルボードを通過した空調エアをパネルボード端部のグリルより室内へ吹き出す。これにより、パネルボードからの熱放射だけでなく、空調エアによっても室内を冷暖房することができる。また、特許文献１には、室内へ吹き出した空調エアが、再び空気調和機に吸引され再利用されることが記載されている。
【０００３】
特許文献２には、床冷暖房パネルを床面に配置し、冷温水供給ユニットから冷水や温水を床冷暖房パネルへ送って冷暖房を行う温調システムが開示されている。特許文献２に記載の温調システムでは、床冷暖房パネルへ供給される冷水の流路に設けられた熱動弁に対して、冷房運転の停止後に結露防止のために通電を行うことが記載されている。
【先行技術文献】
【特許文献】
【０００４】
【特許文献１】特開２００４−２３２９８９号公報
【特許文献２】特開２０１６−１２５６７７号公報
【発明の概要】
【発明が解決しようとする課題】
【０００５】
特許文献１に記載の床放射冷暖房システムで冷房運転を行う場合、冷房運転の終了後に相対的に温度が高い室内の空気が、床下のパネルボード内部に流入し、パネルボード裏側の空調エアの風路に結露を生じる可能性がある。特許文献１には、このような結露を防止する手段の記載が無い。また、特許文献２に記載の結露防止手段は、特許文献１に記載されているような床放射冷暖房システムに適用することはできない。
【０００６】
そこでこの発明は、上述の課題を解決することのできる制御装置、空調システム及び制御方法を提供することを目的としている。
【課題を解決するための手段】
【０００７】
本発明の一態様によれば、制御装置は、空調対象となる空間の空気を吸入して前記空気の温度を制御する空気調和機と、前記空間に接する面に配置された放射パネルモジュールと、前記空気調和機によって温度制御された前記空気を前記放射パネルモジュールへ送出するファンと、前記放射パネルモジュールを通過した前記空気を前記空間へ吹き出す吹出口と、を含む空調システムにおいて、冷房運転の終了後に前記ファンを運転する。
【０００８】
本発明の一態様によれば、前記制御装置は、前記ファンの運転を、前記冷房運転の終了時における前記空間の湿度に応じた時間だけ行う。
【０００９】
本発明の一態様によれば、前記制御装置は、前記冷房運転の終了時における前記空間の湿度について、第１湿度が第２湿度より高い場合、前記ファンの運転を、前記第２湿度の場合より、前記第１湿度の場合に長時間実行する。
【００１０】
本発明の一態様によれば、前記制御装置は、前記ファンの運転を、前記冷房運転の終了後に所定時間だけ実行する。
【００１１】
本発明の一態様によれば、前記制御装置は、前記冷房運転の終了時に、前記空気調和機から送出されてから前記吹出口に至るまでの空間内に残存する前記空気が、前記吹出口から前記空間へ吹き出されるまでの間、前記ファンの運転を実行する。
【００１２】
本発明の一態様によれば、前記制御装置は、前記ファンの運転を、前記空間の温度と前記放射パネルモジュールの風路の温度との温度差が所定の範囲内となるまで実行する。
【００１３】
本発明の一態様によれば、空調システムは、空調対象となる空間の空気を吸入して前記空気の温度を制御する空気調和機と、前記空間に接する面に配置された放射パネルモジュールと、前記空気調和機によって温度制御された前記空気を前記放射パネルモジュールへ送出するファンと、前記放射パネルモジュールを通過した前記空気を前記空間へ吹き出す吹出口と、上記の何れかに記載の制御装置と、を備える。
【００１４】
本発明の一態様によれば、制御方法は、空調対象となる空間の空気を吸入して前記空気の温度を制御する空気調和機と、前記空間に接する面に配置された放射パネルモジュールと、前記空気調和機によって温度制御された前記空気を前記放射パネルモジュールへ送出するファンと、前記放射パネルモジュールを通過した前記空気を前記空間へ吹き出す吹出口と、を含む空調システムにおいて、冷房運転の終了後に前記ファンを運転する。
【発明の効果】
【００１５】
本発明によれば、放射式と対流式を組み合わせた空調システムにおいて、冷房運転終了後に放射パネル裏側の風路に生じる結露を防止することができる。
【図面の簡単な説明】
【００１６】
【図１】本発明の一実施形態における空調システムの一例を示す概略図である。
【図２】本発明の一実施形態における放射パネルとその配置例を示す図である。
【図３】本発明の一実施形態における冷媒回路の一例を示す図である。
【図４】本発明の一実施形態における制御装置の一例を示すブロック図である。
【図５】本発明の一実施形態における結露防止運転のフローチャートである。
【発明を実施するための形態】
【００１７】
＜実施形態＞
以下、本実施形態の空調システムについて図を参照しつつ説明を行う。
図１は、本発明の一実施形態における空調システムの一例を示す概略図である。
空調システム１００は、室内機１０と、室外機２０と、放射パネルモジュール４０Ａ，４０Ｂと、ダクト１３と、を備える。以下、放射パネルモジュール４０Ａ，４０Ｂ等を総称して放射パネルモジュール４０と記載する場合がある。
室内機１０は、空調対象となる室内の空間Ｗ０の天井裏などに設置され、吸込口Ｗ１から空間Ｗ０の空気Ｗを吸入し、この空気Ｗを適切な温度に調節してダクト１３へ送出する。空間Ｗ０の床、壁面、天井などには、少なくとも１つの放射パネルモジュール４０が配置され、ダクト１３へ送出された温度制御済みの空気は、放射パネルモジュール４０へ供給される。放射パネルモジュール４０は、ふく射熱を空間Ｗ０へ放射する放射パネルと、室内機１０から供給される空気Ｗが通過する風路を備える。放射パネルは空間Ｗ０と接するように床、壁、天井などの表面にその放射面（放射パネル）が空間Ｗ０側を向くように配置され、放射パネルの裏面を通過する温度制御済みの空気Ｗが放射パネルを冷却または加熱する。放射パネルが冷却または加熱されることにより、放射パネルを介してふく射熱が空間Ｗ０へ伝達し、空間Ｗ０を冷房または暖房する。なお、放射パネルモジュール４０Ａ、放射パネルモジュール４０Ｂは、配管等で接続されていて、放射パネルモジュール４０Ａを通過した空気Ｗは、放射パネルモジュール４０Ｂへ供給される。室内機１０から供給される空気Ｗは、放射パネルモジュール４０Ａ、放射パネルモジュール４０Ｂを通過し、吹出口Ｗ２Ａから空間Ｗ０へ吹き出され、空間Ｗ０を冷却または加熱する。このように空調システム１００は、放射式および対流式の２方式による空調を行って空間Ｗ０の冷暖房を行う。
【００１８】
次に放射パネルモジュール４０の構成および配置の一例について説明する。
図２は本発明の一実施形態における放射パネルモジュールとその配置例を示す図である。図２に放射パネルモジュール４０の平面図を示す。図２に示す例では、空間Ｗ０の床面に４つの放射パネルモジュール４０Ａ，４０Ｂ，４０Ｃ，４０Ｄが配置されている。放射パネルモジュール４０Ａを例に放射パネルモジュール４０の構成を説明する。放射パネルモジュール４０Ａは、ダンパー４２Ａと、流路形成部材４１Ａ１，４１Ａ２，４１Ａ３，４１Ａ４，４１Ａ５，４１Ａ６と、ダンパー制御部４３Ａと、入口部４４Ａと、出口部４５Ａと、を備えている。また、放射パネルモジュール４０Ａの上側の面（空間Ｗ０の床面）は、図示しない放射パネルで形成されている。ダンパー制御部４３Ａは、制御装置３０の指示に基づいてダンパー４２Ａの開閉動作を制御する。ダンパー４２Ａが実線で示す位置にあるとき（開状態とする）、入口部４４Ａから流入した空気Ｗは、実線矢印が示す方向にバイパス流路４６Ａを通過し、出口部４５Ａから送り出される。一方、ダンパー制御部４３Ａの制御によりダンパー４２Ａが破線で示す位置にあるとき（閉状態とする）、入口部４４Ａから流入した空気Ｗは、破線矢印が示す方向に熱交換流路４７Ａ１，４７Ａ２，４７Ａ３，４７Ａ４，４７Ａ５，４７Ａ６，４７Ａ７を通過し、出口部４５Ａから送り出される。
【００１９】
空気Ｗが、熱交換流路４７Ａ１等を通過すると、放射パネルモジュール４０Ａからのふく射熱が増大し、暖房時には床（放射パネル）が暖かくなる。反対に空気Ｗがバイパス流路４６Ａを通過した場合には、放射パネルモジュール４０Ａが配置された領域の床の温度上昇は抑えられ、暖かい空気Ｗは対流式の空調で利用される。例えば、ユーザが、放射パネルモジュール４０Ａが配置された領域で過ごす場合、リモートコントローラ等によって、放射パネルモジュール４０Ａのダンパー４２Ａを切り替える指示を行い、空気Ｗが熱交換流路４７Ａ１等を通過するように制御することができる。あるいは、冷房運転時にユーザが、放射パネルモジュール４０Ａが配置された領域で過ごす場合、足元が冷えるのを抑えるためにリモートコントローラにより、ダンパー４２Ａを切り替える指示を行い、空気Ｗがバイパス流路４６Ａを通過するように制御することができる。放射パネルモジュール４０Ｂ〜４０Ｄについても同様に構成されている。
【００２０】
図示するように放射パネルモジュール４０Ａと放射パネルモジュール４０Ｂは配管５０Ａで接続されている。同様に放射パネルモジュール４０Ｃと放射パネルモジュール４０Ｄは配管５０Ｃで接続されている。ダクト１３は２つに分岐して、入口部４４Ａ，４４Ｃと接続している。室内機１０からダクト１３を介して温度制御済みの空気Ｗが放射パネルモジュール４０Ａの入口部４４Ａと放射パネルモジュール４０Ｃの入口部４４Ｃへ供給される。放射パネルモジュール４０Ａへ供給された空気Ｗは、バイパス流路４６Ａ又は熱交換流路４７Ａ１等を通過して出口部４５Ａから配管５０Ａを介して放射パネルモジュール４０Ｂの入口部４４Ｂへ供給される。同様に放射パネルモジュール４０Ｃへ供給された空気Ｗは、放射パネルモジュール４０Ｃの内部を通過して出口部４５Ｃから配管５０Ｃを介して放射パネルモジュール４０Ｄの入口部４４Ｄへ供給される。放射パネルモジュール４０Ｂ，４０Ｄについても同様である。放射パネルモジュール４０Ｂ，４０Ｄがそれぞれ出口部４５Ｂ，４５Ｄから送り出した空気Ｗは、吹き出し口Ｗ２Ａ〜Ｗ２Ｄから空間Ｗ０へ吹き出される。
【００２１】
放射パネルモジュール４０Ａ〜４０Ｄのダンパー４２Ａ〜４２Ｄは、各々独立して制御することができるので、例えば、放射パネルモジュール４０Ａのみ空気Ｗが熱交換流路４７Ａ１等を流れるようにダンパー４２Ａを閉状態とし、放射パネルモジュール４０Ｂ〜４０Ｄについては、それぞれダンパー４２Ｂ〜４２Ｄを開状態に制御することができる。
【００２２】
吹き出し口Ｗ２Ａ〜Ｗ２Ｄから空間Ｗ０へ吹き出された空気Ｗは、空間Ｗ０を冷房または暖房して、再び吸込口Ｗ１から室内機１０へ吸入される。図１、図２に例示するように、天井の吸入口Ｗ１と吹出口Ｗ２Ａ〜Ｗ２Ｄとを離れた位置に設け、その間に複数の放射パネルモジュール４０を並べて配置することができる。例えば、吸入口Ｗ１と吹出口Ｗ２Ａ等とが、空調対象の部屋の両端に近い位置に設けられていれば、対流式の空調において部屋全体を偏りなく空調することができる。また、複数の放射パネルモジュール４０を、配管５０を介して任意の方向に接続することで２次元平面状に放射パネルを配置することができる。これにより、放射式の空調によっても部屋全体を空調することができる。
【００２３】
なお、ダンパー４２Ａの切り替えは、完全な開状態と閉状態との間で切り替える制御に限定されない。例えば、ステッピングモータを用いて、開状態と閉状態との間を多段階に切り替えられるように制御してもよい。これにより、熱交換流路４７Ａ１等に流入する空気Ｗの流量とバイパス流路４６Ａに流入する空気Ｗの流量とを調整し、より細やかな温度制御を行うことができる。例えば、暖房中に床の温度が高いと感じた場合、ユーザの指示によりダンパー制御部４３Ａは、ダンパー４２Ａの位置を開状態と閉状態の中間の位置に制御してもよい。すると、閉状態に制御した場合よりは少ない量の空気Ｗが熱交換流路４７Ａ１等へ流入するため、床の温度上昇を抑えることができる。
【００２４】
図１に戻り、吸込口Ｗ１から吸入された空気Ｗは、室内機１０が備える室内熱交換器２との間で熱交換を行い、適切な温度に制御され、ファン９によって再びダクト１３へ送出される。室内機１０は、室内熱交換器２、ファン９、温度センサ１１、湿度センサ１２、制御装置３０を備える。温度センサ１１は、吸込口Ｗ１から吸入された空気Ｗの温度を計測する。湿度センサ１２は、吸込口Ｗ１から吸入された空気Ｗの湿度（相対湿度）を計測する。制御装置３０は、温度センサ１１および湿度センサ１２の計測値に基づいて、ファン９の回転数を制御し、空気Ｗをダクト１３へ送出する。室内機１０は、室外機２０と冷媒配管６、図示しない通信線等で接続される。室内機１０と室外機２０は、冷凍サイクルを構成しており、冷媒を冷凍サイクル内で循環させることによって冷媒の加熱・冷却を行い、室内熱交換器２を通じて空気Ｗを所望の温度に制御する。
【００２５】
ここで、図３を用いて、室内機１０と室外機２０による冷凍サイクルの運転について説明する。図３は、本発明の一実施形態における冷媒回路の一例を示す図である。
図３に示すように室内機１０は、室内熱交換器２、ファン９を備える。室外機２０は、圧縮機１、膨張弁３、室外熱交換器４、四方弁５を備える。圧縮機１、室内熱交換器２、膨張弁３、室外熱交換器４、四方弁５は冷媒配管６で接続される。
圧縮機１は、冷媒を圧縮し、圧縮後の高温、高圧の冷媒を吐出する。暖房運転では、冷媒は矢印８の方向に循環する。つまり、圧縮機１が吐出した冷媒は、四方弁５を介して室内熱交換器２に供給される。冷媒は、室内熱交換器２にて、吸込口Ｗ１から吸入した空気Ｗへ放熱し、凝縮して液化する。凝縮した冷媒は、膨張弁３によって減圧され、低圧の冷媒となる。低圧の冷媒は、室外熱交換器４へ供給され、外気からの吸熱により気化する。気化した冷媒は、四方弁５を通過して圧縮機１へ吸入される。圧縮機１は低圧の冷媒を圧縮して高圧の冷媒を吐出する。
【００２６】
また、冷房運転では、冷媒は矢印７の方向に循環する。つまり、圧縮機１が吐出した高圧の冷媒は、四方弁５を介して室外熱交換器４に供給され外気へ放熱し凝縮する。凝縮した冷媒は膨張弁３によって減圧される。低圧の冷媒は、室内熱交換器２へ供給され、空気Ｗから吸熱して空気Ｗを冷却し、気化する。気化した冷媒は、四方弁５を通過して圧縮機１へ吸入される。圧縮機１は低圧の冷媒を圧縮して高圧の冷媒を吐出する。
【００２７】
室外機２０の制御装置２１は、暖房と冷房に応じた四方弁５の切り替えや、温度センサ１１が計測した空気Ｗの温度と設定温度との差に応じた回転数で圧縮機１を駆動するなどして、空間Ｗ０の温度が、ユーザが設定した設定温度となるように冷凍サイクルの運転を行う。空気Ｗと冷媒は、室内熱交換器２で熱交換する。制御装置３０は、所定の回転数でファン９を制御して、所望の温度に制御された熱交換後の空気Ｗをダクト１３へ送出する。次に制御装置３０について説明する。
【００２８】
図４は、本発明の一実施形態における制御装置の一例を示すブロック図である。
制御装置３０は、例えばマイコン等のコンピュータ装置である。図示するように制御装置３０は、センサ情報取得部３１と、設定情報取得部３２と、タイマ３３と、記憶部３４と、制御部３５と、通信部３６とを備えている。なお、制御装置３０は、室内機１０に関して種々の制御を行うが、本明細書では、冷房運転の終了後に放射パネルモジュール４０裏側の風路や配管５０Ａなどに結露が生じるのを防止する機能を中心に説明する。
【００２９】
センサ情報取得部３１は、温度センサ１１から空気Ｗの温度の計測値、湿度センサ１２から空気Ｗの湿度の計測値を取得する。
設定情報取得部３２は、ユーザがリモートコントローラ等から入力した各種設定情報を取得する。例えば、設定情報取得部３２は、運転の開始と停止の指示、冷房・暖房の設定、室温の設定、風量の設定、床のどのエリア（放射パネルモジュール４０Ａ〜４０Ｄの何れか）を温めるか（又は冷却するか）等の設定情報を取得する。
タイマ３３は、時間を計測する。
記憶部３４は、センサ情報取得部３１が取得した温度や湿度の計測値、設定情報取得部３２が取得した各種設定情報など種々の情報を記憶する。また、記憶部３４は、制御装置３０の機能を実現する各種プログラムを記憶する。
【００３０】
制御部３５は、室内機１０の制御、室外機２０と連携して空調システム１００の制御を行う。例えば、設定情報取得部３２が、冷房の運転開始指示、冷房時の設定温度を取得すると、制御部３５は、通信部３６を介して、室外機２０の制御装置２１へ、温度センサ１１の計測値と共にそれらの設定情報を通知する。制御装置２１は、温度センサ１１の計測値と設定温度の差に基づいて、圧縮機１を駆動し、空気Ｗが所望の温度となるよう冷凍サイクルを運転する。また、例えば、設定情報取得部３２が、所定の風量の設定情報を取得すると、制御部３５は、ダクト１３へ供給される空気Ｗの風量が所定の風量となるようファン９の回転数を制御する。例えば、風量が強、中、弱の３段階で設定できる場合、それらの設定ごとにファン９の回転数が定められていて、制御部３５は、ユーザが設定した風量の設定に対応する回転数でファン９を駆動する。また、例えば、冷房時にユーザが、放射パネルモジュール４０Ａのエリアをあまり冷やさないように設定した場合、制御部３５は、ダンパー制御部４３Ａへ、ダンパー４２Ａを開状態とするよう指示する。
【００３１】
制御部３５は、冷房運転の終了後にもファン９の運転を継続して、放射パネルモジュール４０裏側の風路等への結露を防ぐ。例えば、空調システム１００が、冷房運転を行っている間、空間Ｗ０よりも、放射パネルモジュール４０の風路の方が冷却され低温になることが多い。冷房運転の終了とともにファン９が停止すると、吹出口Ｗ２Ａ〜Ｗ２Ｄから空間Ｗ０への空気Ｗの流れが停止し、反対に、空間Ｗ０から放射パネルモジュール４０の風路側へと空気Ｗが流入する可能性がある。すると、相対的に高温の空気Ｗが放射パネルモジュール４０の風路で冷却され、風路で結露する可能性がある。その為、本実施形態では、冷房運転の終了後に結露防止のためにファン９をしばらくの間運転し、空間Ｗ０から放射パネルモジュール４０への空気の逆流を防ぎ、風路内での結露を防止する。
【００３２】
具体的には、ユーザが冷房運転を終了する操作を行うと、その指示情報が室外機２０へ送信され、制御装置２１は圧縮機１の運転を停止する。これに対し、室内機１０では制御部３５が、冷房運転の終了後もファン９の運転を継続する。ファン９の運転を継続するので、吹出口Ｗ２Ａ等から空間Ｗ０へ向かう空気Ｗの流れにより、空間Ｗ０から放射パネルモジュール４０の風路への空気の流入を防ぐことができる。また、ダクト１３、放射パネルモジュール４０等に存在していた冷却済みの空気は空間Ｗ０へ吐き出され、冷房運転の終了時に空間Ｗ０に存在していた空気Ｗは、吸込口Ｗ１から吸入されてファン９によりダクト１３へ送出され、放射パネルモジュール４０を通過した後に吐出口Ｗ２Ａ等から空間Ｗ０へと吐き出されるという空気Ｗの循環が行われる。これにより、空間Ｗ０と放射パネルモジュール４０内部との温度差がなくなり、空間Ｗ０から放射パネルモジュール４０内部へ空気Ｗが流入したとしても結露が生じない状態となる。
【００３３】
なお、制御部３５は、放射パネルモジュール４０Ａ等のダンパー４２Ａについては、冷房終了時と同じ開閉状態を維持するようダンパー制御部４３Ａを制御して、ファン９の運転を継続してもよい。あるいは、放射パネルモジュール４０Ａ等のダンパー４２Ａの開閉状態を所定時間ごとに切り替えるように制御してもよい。
【００３４】
通信部３６は、制御装置２１との間の通信を行う。例えば、設定情報取得部３２が、運転停止指示を取得すると、通信部３６は、その運転停止指示を室外機２０の制御装置２１へ送信する。また、通信部３６は、ダンパー制御部４３Ａ等と通信を行う。例えば、制御部３５が、ダンパー４２Ａを閉状態にするよう指示した場合、通信部３６は、その指示情報を、ダンパー制御部４３Ａへ送信する。
【００３５】
次に本実施形態の冷房終了後の結露防止運転の処理の流れについて、図１〜図４の空調システム１００の構成を例に説明を行う。
図５は、本発明の一実施形態における結露防止運転のフローチャートである。
前提として空調システム１００は、冷房運転中であるとする。冷房運転の実行中、通信部３６は、センサ情報取得部３１が取得した温度センサ１１による空気Ｗの温度を所定の時間間隔で室外機２０の制御装置２１へ送信する。制御装置２１は、空気Ｗの温度が、設定温度に近づくように圧縮機１の回転数を調整し冷凍サイクルを運転する。また、制御部３５は、ユーザが設定した風量となるようにファン９の回転数を制御する。
【００３６】
まず、ユーザの指示により空調システム１００が冷房運転を終了する（ステップＳ１１）。具体的には、ユーザが冷房運転の停止指示をリモートコントローラ等により入力すると、通信部３６が停止指示を室外機２０の制御装置２１へ送信する。制御装置２１は、圧縮機１を停止する等して冷凍サイクルの運転を停止する。室内機１０では、制御部３５が、冷房運転の停止指示情報を取得したことに基づいて、タイマ３３を用いた冷房運転停止後の経過時間の監視を開始しつつ、ファン９の運転を継続する（ステップＳ１２）。制御部３５は、ファン９の回転数を冷房運転時の回転数のまま維持してもよいし、結露防止運転用に設定された所定の回転数に変更して運転してもよい。また、センサ情報取得部３１は、湿度センサ１２が計測した冷房終了時の相対湿度を取得する（ステップＳ１３）。制御部３５は、センサ情報取得部３１が取得した相対湿度に基づいて、冷房運転終了後のファン９の運転時間を設定する（ステップＳ１４）。例えば、制御部３５が、相対湿度と運転時間の関係を定めた設定テーブルを保持していて、制御部３５は、この設定テーブルに基づいて、冷房終了時の相対湿度に応じた継続時間を設定する。この設定テーブルには、より高い相対湿度に対して、より長い運転時間が設定されている。つまり、冷房運転終了時の空間Ｗ０の湿度が高い程、制御部３５は、冷房運転終了後に長時間ファン９を運転する。
【００３７】
また、制御部３５は、相対湿度に依存せず、所定時間だけファン９の運転を継続してもよい。所定時間とは、例えば、ダクト１３、放射パネルモジュール４０Ａ〜４０Ｄ、配管５０Ａ等、冷房運転の終了時点で、室内機１０の送出口から吹出口Ｗ２Ａ等に至るまでの空間内に残存する冷却済みの空気Ｗが、吹出口Ｗ２Ａ等から空間Ｗ０へ吹き出されるまでに要する時間であってもよい。
【００３８】
次に制御部３５は、タイマ３３が計測した時間を参照して、冷房運転が終了してからステップＳ１４で設定した運転時間が経過するかどうかを判定する（ステップＳ１５）。制御部３５は、設定した運転時間が経過するまでファン９の運転を継続する。設定した運転時間が経過すると（ステップＳ１５；Ｙｅｓ）、制御部３５は、ファン９を停止する（ステップＳ１６）。
【００３９】
あるいは、運転時間を設定する代わりに、例えば、放射パネルモジュール４０Ａ等の風路に温度センサを設け、制御部３５は、風路に設けた温度センサと、温度センサ１１が計測する室内機１０の吸込口Ｗ１での空気Ｗの温度との差が、所定の範囲内（ファン９の停止後、空間Ｗ０から風路側への空気の流入が生じても結露が発生しないような温度差）である状態が一定の時間以上維持される状態となるまでファン９の運転を継続してもよい。
【００４０】
なお、ファン９の運転中、制御部３５は、ダンパー制御部４３Ａ等へダンパー４２Ａの開閉状態を切り替えるよう指示し、一旦は空気Ｗが全ての流路を流れるように制御してもよい。
また、結露防止運転用の回転数は、ユーザが任意に設定できてもよく、回転数の高低に応じて冷房運転後の運転時間の長短が設定されてもよい。例えば、ユーザが風量を小さく設定した場合には、風量を大きく設定した場合に比べてより長い運転時間が設定（ステップＳ１４）されてもよい。
【００４１】
本実施形態によれば、空調対象となる空間Ｗ０の空気Ｗを吸入して、空気Ｗの温度を制御する空気調和機（室内機１０、室外機２０）と、空間Ｗ０に接する面に配置された放射パネルモジュール４０と、空気調和機によって温度制御された空気Ｗを放射パネルモジュール４０へ送出するファン９と、放射パネルモジュール４０を通過した空気Ｗを空間Ｗ０へ吹き出す吹出口Ｗ２Ａ等とを備える空調システム１００において、冷房運転終了後に空間Ｗ０の空気Ｗが、冷やされた放射パネルモジュール４０の風路側へ流入することによる、風路（放射パネル裏面）への結露やカビの発生を防止することができる。
【００４２】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
例えば、上記の実施形態では、ファン９を冷房運転終了後に継続して運転するよう制御したが、同様の制御を、空調システム１００における除湿運転後に行ってもよい。また、上記実施例では、放射パネルモジュール４０等を床面に配置する例を挙げたが、天井や壁面に配置してもよい。
【符号の説明】
【００４３】
１・・・圧縮機
２・・・室内熱交換器
３・・・膨張弁
４・・・室外熱交換器
５・・・四方弁
６・・・冷媒配管
９・・・ファン
１０・・・室内機
１１・・・温度センサ
１２・・・湿度センサ
１３・・・ダクト
２０・・・室外機
２１・・・制御装置
３０・・・制御装置
３１・・・センサ情報取得部
３２・・・設定情報取得部
３３・・・タイマ
３４・・・記憶部
３５・・・制御部
３６・・・通信部
４０Ａ、４０Ｂ、４０Ｃ、４０Ｄ・・・放射パネルモジュール
４１Ａ１，４１Ａ２，４１Ａ３，４１Ａ４，４１Ａ５，４１Ａ６・・・流路形成部材
４２Ａ・・・ダンパー
４３Ａ・・・ダンパー制御部
４４Ａ・・・入口部
４５Ａ・・・出口部
４６Ａ・・・バイパス流路
４７Ａ１，４７Ａ２，４７Ａ３，４７Ａ４，４７Ａ５，４７Ａ６，４７Ａ７・・・熱交換流路
５０Ａ、５０Ｃ・・・配管
１００・・・空調システム
Ｗ・・・空気
Ｗ０・・・空間
Ｗ１・・・吸込口
Ｗ２Ａ、Ｗ２Ｂ、Ｗ２Ｃ、Ｗ２Ｄ・・・吹出口
【図１】
2020003141.tif 000003
【図２】
2020003141.tif 000004
【図３】
2020003141.tif 000005
【図４】
2020003141.tif 000006
【図５】
2020003141.tif 000007